(57)【要約】【課題】  本発明は、使用勝手の良好な日除け付きヘルメットを提供することを目的とする。【解決手段】  日除け付きヘルメットＡは、ヘルメット１と、このヘルメット１の後部に取り付けられ、ヘルメット１の装着者の頭部の後部及び前記頭部の後部に連なる首部の後部を覆う日除け部材２と、この日除け部材２の裏面側に設けられ、垂下する取付部２３と、この取付部２３に取り付けられ、ヘルメット１から遠ざかる方向に張り出す張り出し部３２を備えた張り出し部材３と、この張り出し部材３により垂れ下がる日除け部材２の垂れ下がる位置をヘルメット１から遠ざかる位置にずらして日除け部材２が垂れ下がるものである。【選択図】    図１
2006219791.tif 000002
【特許請求の範囲】
【請求項１】
ヘルメットと、
このヘルメットの後部に取り付けられ、前記ヘルメットの装着者の頭部の後部及び前記頭部の後部に連なる首部の後部を覆う日除け部材と、
この日除け部材の裏面側に設けられ、垂下する取付部と、
この取付部に取り付けられ、前記ヘルメットから遠ざかる方向に張り出す張り出し部を備えた張り出し部材と、
この張り出し部材により垂れ下がる前記日除け部材の垂れ下がる位置を前記ヘルメットから遠ざかる位置にずらして前記日除け部材が垂れ下がる
ことを特徴とする日除け付きヘルメット。
【請求項２】
ヘルメットと、
このヘルメットの後部に取り付けられ、前記ヘルメットから遠ざかる方向に張り出す張り出し部材と、
この張り出し部材に取り付けられ、前記張り出し部材より垂れ下がり、前記ヘルメットの装着者の頭部の後部及び前記頭部の後部に連なる首部の後部を覆う日除け部材と、
備えていることを特徴とする日除け付きヘルメット。
【請求項３】
帽子と、
この帽子の後部に取り付けられ、前記帽子の装着者の頭部の後部及び前記頭部の後部に連なる首部の後部を覆う日除け部材と、
この日除け部材の裏面側に設けられ、垂下する取付部と、
この取付部に取り付けられ、前記帽子から遠ざかる方向に張り出す張り出し部を備えた張り出し部材と、
この張り出し部材により垂れ下がる前記日除け部材の垂れ下がる位置を前記帽子から遠ざかる位置にずらして前記日除け部材が垂れ下がる
ことを特徴とする日除け付き帽子。
【請求項４】
帽子と、
この帽子の後部に取り付けられ、前記帽子から遠ざかる方向に張り出す張り出し部材と、
この張り出し部材に取り付けられ、前記張り出し部材より垂れ下がり、前記帽子の装着者の頭部の後部及び前記頭部の後部に連なる首部の後部を覆う日除け部材と、
備えていることを特徴とする日除け付き帽子。
【発明の詳細な説明】
【技術分野】
【０００１】
本発明は、日除け付きヘルメット及び日除け付き帽子に係り、特に、使用勝手の良好な日除け付きヘルメット及び日除け付き帽子に関する。
【背景技術】
【０００２】
従来、日除け付きヘルメットにあっては、ヘルメットに設けられた日除け部材によりヘルメット装着者の頭部の後部及び前記頭部の後部に連なる首部後部を覆って、例えば、夏の強い日差しを避けるようにしている（例えば、特許文献１参照）。
【特許文献１】特開２００２−１３０２０号公報  （図２、図６、図８及び図１０）
【発明の開示】
【発明が解決しようとする課題】
【０００３】
しかしながら、上述した日除け付きヘルメットにあっては、ヘルメットの後部より日除け部材が垂れ下がり、該日除け部材と首部後部との間隔がとれず、風通しが悪いと共に、ヘルメットの後部より日除け部材が垂れ下がっている分、該日除け部材が汗が生じた首部後部にくっつき易く、使用勝手が良好でないという問題がある。
本発明は、上記の問題を除去するようにした日除け付きヘルメット及び日除け付き帽子を提供することを目的とする。
【課題を解決するための手段】
【０００４】
請求項１記載の日除け付きヘルメットは、ヘルメットと、このヘルメットの後部に取り付けられ、前記ヘルメットの装着者の頭部の後部及び前記頭部の後部に連なる首部の後部を覆う日除け部材と、この日除け部材の裏面側に設けられ、垂下する取付部と、この取付部に取り付けられ、前記ヘルメットから遠ざかる方向に張り出す張り出し部を備えた張り出し部材と、この張り出し部材により垂れ下がる前記日除け部材の垂れ下がる位置を前記ヘルメットから遠ざかる位置にずらして前記日除け部材が垂れ下がるものである。
【０００５】
また、請求項２記載の日除け付きヘルメットは、ヘルメットと、このヘルメットの後部に取り付けられ、前記ヘルメットから遠ざかる方向に張り出す張り出し部材と、この張り出し部材に取り付けられ、前記張り出し部材より垂れ下がり、前記ヘルメットの装着者の頭部の後部及び前記頭部の後部に連なる首部の後部を覆う日除け部材と備えているものである。
【０００６】
また、請求項３記載の日除け付き帽子は、帽子と、この帽子の後部に取り付けられ、前記帽子の装着者の頭部の後部及び前記頭部の後部に連なる首部の後部を覆う日除け部材と、この日除け部材の裏面側に設けられ、垂下する取付部と、この取付部に取り付けられ、前記帽子から遠ざかる方向に張り出す張り出し部を備えた張り出し部材と、この張り出し部材により垂れ下がる前記日除け部材の垂れ下がる位置を前記帽子から遠ざかる位置にずらして前記日除け部材が垂れ下がるものである。
【０００７】
また、請求項４記載の日除け付き帽子は、帽子と、この帽子の後部に取り付けられ、前記帽子から遠ざかる方向に張り出す張り出し部材と、この張り出し部材に取り付けられ、前記張り出し部材より垂れ下がり、前記帽子の装着者の頭部の後部及び前記頭部の後部に連なる首部の後部を覆う日除け部材とを備えているものである。
【発明の効果】
【０００８】
請求項１記載の日除け付きヘルメットによれば、張り出し部材により垂れ下がる日除け部材の垂れ下がる位置をヘルメットから遠ざかる位置にずらして前記日除け部材が垂れ下がるように構成しているため、日除け部材と首部後部との間隔をとることができ、該間隔が風の通り道となり、風通しが良いと共に、日除け部材の垂れ下がる位置をヘルメットから遠ざかる位置にずらした分、日除け部材が首部後部にくっつきにくく、使用勝手を向上させることができる。
【０００９】
また、請求項２記載の日除け付きヘルメットによれば、張り出し部材により垂れ下がる日除け部材の垂れ下がる位置をヘルメットから遠ざかる位置にずらして前記日除け部材が垂れ下がるように構成しているため、日除け部材と首部後部との間隔をとることができ、該間隔が風の通り道となり、風通しが良いと共に、日除け部材の垂れ下がる位置をヘルメットから遠ざかる位置にずらした分、日除け部材が首部後部にくっつきにくく、使用勝手を向上させることができる。
【００１０】
また、請求項３記載の日除け付き帽子によれば、張り出し部材により垂れ下がる日除け部材の垂れ下がる位置を帽子から遠ざかる位置にずらして前記日除け部材が垂れ下がるように構成しているため、日除け部材と首部後部との間隔をとることができ、該間隔が風の通り道となり、風通しが良いと共に、日除け部材の垂れ下がる位置を帽子から遠ざかる位置にずらした分、日除け部材が首部後部にくっつきにくく、使用勝手を向上させることができる。
【００１１】
また、請求項４記載の日除け付き帽子によれば、張り出し部材により垂れ下がる日除け部材の垂れ下がる位置を帽子から遠ざかる位置にずらして前記日除け部材が垂れ下がるように構成しているため、日除け部材と首部後部との間隔をとることができ、該間隔が風の通り道となり、風通しが良いと共に、日除け部材の垂れ下がる位置を帽子から遠ざかる位置にずらした分、日除け部材が首部後部にくっつきにくく、使用勝手を向上させることができる。
【発明を実施するための最良の形態】
【００１２】
本発明の一実施例を図面を参照して説明する。Ａは日除け付きヘルメットで、日除け付きヘルメットＡは、ヘルメット１と、このヘルメット１の後部に着脱自在に取り付けられる日除け部材２とを備えている（図１〜図８参照）。
１１は、ヘルメット１の後部に取り付けられた第１の面状ファスナーで、第１の面状ファスナー１１は、例えば、ヘルメット１の後部に両面テープを介して取り付けられている。
【００１３】
日除け部材２は、ヘルメット１の装着者の頭部の後部５１及び頭部の後部５１に連なる首部の後部５２を覆うもので、例えば、布製で、日除け部材２の端部の一方には、ヘルメット１の後部に取り付けられた第１の面状ファスナー１１に対向する面に第２の面状ファスナー２１が、例えば、縫製により取り付けられている。この第２の面状ファスナー２１が取り付けられている日除け部材２の端部の一方から日除け部材２の端部の他方に向かって形成された部分は、日除け部２２となっている。また、２３は取付部で、取付部２３は、日除け部材２の裏面側に設けられ、日除け部材２がヘルメット１に装着された状態において垂下するようになっている（図１、図４、図８参照）。
【００１４】
また、３は側方に張り出す張り出し部材で、張り出し部材３は日除け部材２の取付部２３に取り付けられている。張り出し部材３は、例えば、曲線形状に形成された板状部３１と、この板状部３１の一方の端部より側方に張り出す張り出し部３２を有している。張り出し部材３の取付部２３への取付は、取付部２３に設けられた被係止部、例えば、第３の面状ファスナー２４、又は、挿入口２５、２６である。第３の面状ファスナー２４は、
板状部３１に設けられた係止部、例えば、第４の面状ファスナー３３に係止される。第４の面状ファスナー３３は板状部３１に両面テープを介して取り付けられている。挿入口２５、２６は、板状部３１に設けられた係止部、例えば、図５に示すように、板状部３１の端部が挿入され係止されるようになっている。
【００１５】
従って、日除け部材２がヘルメット１の後部に取り付けられた状態においては、図１及び図８に示すように、張り出し部材３により垂れ下がる日除け部材２の垂れ下がる位置をヘルメット１から遠ざかる位置にずらして日除け部材２が垂れ下がるようになっている。
その結果、日除け部材２はヘルメット１の装着者の頭部の後部５１及び頭部の後部５１に連なる首部の後部５２を覆って、直射日光が直接当たるのを防ぐことができ、また、日除け部材２と首部の後部５２との間隔Ｔを大きくとることができ、該間隔Ｔが風の通り道となり、風通しが良いと共に、日除け部材２の垂れ下がる位置をヘルメット１から遠ざかる位置にずらした分、日除け部材２が首部の後部５２にくっつきにくく、使用勝手を向上させることができる。
【００１６】
なお、上述の実施例においては、張り出し部材３は取付部２３に取り付けられ、日除け部材２はヘルメット１に取り付けられるようにしたが、本願発明にあっては、これに限らず、逆に、側方に張り出す張り出し部材３をヘルメット１の後部に取り付け、日除け部材２を張り出し部材３に取り付けるようにしても良い（図９参照）。
１１はヘルメット１の後部に取り付けられた第１の面状ファスナーで、２１は日除け部材２に取り付けられた第２の面状ファスナーで、３３は張り出し部材３に取り付けられた第４の面状ファスナーで、３４は張り出し部材３に取り付けられ、第４の面状ファスナー３３の反対側に位置する第５の面状ファスナーである。
【００１７】
また、上述の実施例においては、ヘルメット１を例にとり説明したが、本願発明にあっては、ヘルメットに限らず、一般的な帽子（例えば、ゴルフ、野球等のスポーツ用の帽子）等にも同様に適用できるものである。なお、特に、上述したヘルメット１を図示しない帽子（例えば、ゴルフ、野球等のスポーツ用の帽子）に換えるだけであるので、その説明を省略する。
【図面の簡単な説明】
【００１８】
【図１】図１は、本発明の一実施例のヘルメットの装着状態の概略的断面図である。
【図２】図２は、図１のヘルメットの後部に日除け部材を取り付ける前の状態（日除け部材実線）と、取り付けた状態（日除け部材二点鎖線）とをそれぞれ示す概略的斜視図である。
【図３】図３は、図１の日除け部材の概略的正面図である。
【図４】図４は、図３の４−４線による概略的断面図である。
【図５】図５は、図４の日除け部材に張り出し部材を取り付ける状態を示す概略的斜視図である。
【図６】図６は、図４の日除け部材に張り出し部材を取り付けた状態を示す概略的斜視図である。
【図７】図７は、図６の７−７線による概略的断面図である。
【図８】図８は、図１の一部を拡大して示す概略的一部拡大断面図である。
【図９】図９は、本発明の他の実施例のヘルメットの装着状態の一部を拡大して示す概略的一部拡大断面図である。
【符号の説明】
【００１９】
Ａ  日除け付きヘルメット
１  ヘルメット
２  日除け部材
３  張り出し部材
２３  取付部
３２  張り出し部
５１  頭部の後部
５２  首部の後部
【図１】
2006219791.tif 000003
【図２】
2006219791.tif 000004
【図３】
2006219791.tif 000005
【図４】
2006219791.tif 000006
【図５】
2006219791.tif 000007
【図６】
2006219791.tif 000008
【図７】
2006219791.tif 000009
【図８】
2006219791.tif 000010
【図９】
2006219791.tif 000011